(57)【要約】  指向性照明器具を開示する。この指向性照明器具は、第１のハウジングと、照明素子と、光学素子と、ドライバ基板とを含む。照明素子は、第１のハウジング内に位置し、指向性照明器具の中心軸と実質的に整列する。照明素子は、可視光を生成するように構成される。光学素子は、照明素子の真正面に位置する。光学素子は、照明素子によって生成された可視光を特定の方向に向けるように構成される。ドライバ基板は、照明素子に電気的に結合され、アンテナ素子を含む。ドライバ基板は、指向性照明器具の中心軸からオフセットされる。アンテナ素子は、照明素子と少なくとも同じ高さになるように配置される。【選択図】図１
2017521818.tif 000002
【特許請求の範囲】
【請求項１】
指向性照明器具であって、
第１のハウジングと、
前記第１のハウジング内に位置し、前記指向性照明器具の中心軸と実質的に整列して、可視光を生成するように構成された照明素子と、
前記照明素子の真正面に位置し、前記照明素子によって生成された前記可視光を特定の方向に向けるように構成された光学素子と、
前記照明素子に電気的に接続され、アンテナ素子を含み、前記指向性照明器具の中心軸からオフセットされたドライバ基板と、を備え、
前記アンテナ素子は、前記照明素子と少なくとも同じ高さになるように配置されている、指向性照明器具。
【請求項２】
前記ドライバ基板は、前記指向性照明器具の中心軸に対して鉛直角に位置付けられている、請求項１に記載の指向性照明器具。
【請求項３】
前記ドライバ基板は、前記指向性照明器具の中心軸と実質的に平行である、請求項１に記載の指向性照明器具。
【請求項４】
前記第１のハウジングは、熱伝導性金属で構成されている、請求項１に記載の指向性照明器具。
【請求項５】
前記照明素子は、少なくとも１つのＬＥＤである、請求項１に記載の指向性照明器具。
【請求項６】
無線周波数（ＲＦ）信号を通す材料で構成された第２のハウジングをさらに備え、
前記第１のハウジングと前記第２のハウジングとは、鍵型接続部によって互いに結合されている、請求項１に記載の指向性照明器具。
【請求項７】
前記第２のハウジングは突出部を含み、前記第１のハウジングは、前記第２のハウジングの前記突出部に概ね対応して前記鍵型接続部を形成するように成形された切欠部を定める、請求項６に記載の指向性照明器具。
【請求項８】
前記第２のハウジングは、開口部と、該第２のハウジングの該開口部の両側面に沿って配置された２つの傾斜スロットとを含む、請求項６に記載の指向性照明器具。
【請求項９】
前記ドライバ基板は、前記２つの傾斜スロットに沿って前記ドライバ基板を前記第２のハウジングの前記開口部に滑り込ませることによって前記第２のハウジングに取り付けられるように構成されている、請求項８に記載の指向性照明器具。
【請求項１０】
ＲＦ信号を通す材料で構成された支持体をさらに備え、前記ドライバ基板は、前記支持体に取り付けられている、請求項１に記載の指向性照明器具。
【請求項１１】
前記支持体は、該支持体の両側面に位置する２つの肩部を含む、請求項１０に記載の指向性照明器具。
【請求項１２】
前記第１のハウジングは、２つの取り付けリブを含み、
前記支持体の前記各肩部は、前記２つの取り付けリブの一方を受け入れて該一方の取り付けリブに支持されている、請求項１１に記載の指向性照明器具。
【請求項１３】
前記支持体を前記第１のハウジングに確実に取り付ける締結装置をさらに備えている、請求項１０に記載の指向性照明器具。
【請求項１４】
前記指向性照明器具は、ＬＥＤランプ、白熱ランプ、電球型蛍光ランプ（ＣＦＬ）及びガス放電ランプのうちの１つである、請求項１に記載の指向性照明器具。
【請求項１５】
指向性照明器具であって、
熱伝導性金属で構成された第１のハウジングと、
前記第１のハウジング内に位置し、前記指向性照明器具の中心軸と実質的に整列して、可視光を生成するように構成された照明素子と、
前記照明素子の真正面に位置し、前記照明素子によって生成された前記可視光を特定の方向に向けるように構成された光学素子と、
前記指向性照明器具の中心軸に対して鉛直角に位置付けられ、前記照明素子に電気的に接続され、アンテナ素子を含み、前記指向性照明器具の中心軸からオフセットされたドライバ基板と、を備え、
前記アンテナ素子は、前記照明素子と少なくとも同じ高さになるように配置されている、指向性照明器具。
【請求項１６】
無線周波数（ＲＦ）信号を通す材料で構成された第２のハウジングをさらに備え、
前記第１のハウジングと前記第２のハウジングとは、鍵型接続部によって互いに結合されている、請求項１５に記載の指向性照明器具。
【請求項１７】
ＲＦ信号を通す材料で構成された支持体をさらに備え、前記ドライバ基板は、前記支持体に取り付けられている、請求項１５に記載の指向性照明器具。
【請求項１８】
指向性照明器具の第１のハウジングと、第２のハウジングと、ドライバ基板とを互いに組み立てる方法であって、
前記ドライバ基板を前記第２のハウジングに取り付けるステップと、
前記ドライバ基板を前記第２のハウジング内の適所に保持するステップと、
前記ドライバ基板が前記第２のハウジング内の適所に保持された後に、前記第２のハウジングに前記第１のハウジングを取り付けるステップと、を含む方法。
【請求項１９】
前記第１のハウジングは切欠部を含み、前記第２のハウジングは突出部を含み、
前記第１のハウジングは、前記第２のハウジングの前記突出部を前記第１のハウジングの前記切欠部に受け入れることによって前記第２のハウジングに取り付けられる、請求項１８に記載の方法。
【請求項２０】
前記ドライバ基板は、ポッティング材及び機械的結合の一方によって前記第２のハウジング内に保持される、請求項１８に記載の方法。
【発明の詳細な説明】
【技術分野】
【０００１】
本開示は、一般に指向性照明器具のためのアンテナ素子に関し、具体的には、中心軸からオフセットされ、可視光を生成する照明素子と少なくとも同じ高さに配置されたアンテナ素子を利用する指向性照明器具に関する。
【背景技術】
【０００２】
無線照明制御システムは、無線周波数（ＲＦ）通信を利用して、照明器具のドライバ基板に取り付けられたアンテナ素子に制御信号を伝えることができる。例えば、ユーザは、無線制御を用いて光の点灯、消灯又は調光を行うことができる。しかしながら、照明器具は、金属材料製のハウジングを含むこともある。アンテナ素子は、金属ハウジング内に配置し、又は金属ハウジングによって取り囲むことができる。この結果、金属ハウジングがＲＦシールドとしての役割を果たし、これによってＲＦ信号のアンテナ素子への到達が事実上阻止されることがある。この結果、ＲＦ信号がアンテナ素子に到達する能力を金属ハウジングが著しく低下させるので、無線で光を制御することが困難になり得る。
【０００３】
指向性ランプは、可視光を特定の方向に伝えるあらゆるタイプのランプとして定義することができる。無指向性ランプは、一般に均一で全体的な照明を行い、指向性ランプは、一般に特定の物体又は領域を強調するために使用される。例えば、指向性ランプは、空間内の塗装、彫刻又は建築上の特徴などの焦点を強調するために使用することができる。通常、指向性ランプは、発光素子の真正面に位置する光学素子を含む。発光素子は、例えば発光ダイオード（ＬＥＤ）又は白熱ランプのフィラメントなどの、可視光を生成するあらゆるタイプのデバイスとすることができる。光学素子は、可視光を特定の方向に向けて、指向性ランプのビーム角及び配光を制御するために使用することができる。
【発明の概要】
【発明が解決しようとする課題】
【０００４】
アンテナ素子を含むドライバ基板を指向性ライト内に実装することは特に困難となり得る。この理由は、光学素子によってさらなる実装制限が生じるためである。具体的には、ドライバ基板は、光学素子によって反射された可視光を実質的に妨害したり、可視光と干渉したりすべきでない。
【課題を解決するための手段】
【０００５】
１つの実施形態では、指向性照明器具を開示する。この指向性照明器具は、第１のハウジングと、照明素子と、光学素子と、ドライバ基板とを含む。照明素子は、第１のハウジング内に位置し、指向性照明器具の中心軸と実質的に整列する。照明素子は、可視光を生成するように構成される。光学素子は、照明素子の真正面に位置する。光学素子は、照明素子によって生成された可視光を特定の方向に向けるように構成される。ドライバ基板は、照明素子に電気的に結合され、アンテナ素子を含む。ドライバ基板は、指向性照明器具の中心軸からオフセットされる。アンテナ素子は、照明素子と少なくとも同じ高さ又は面一になるように配置される。
【０００６】
１つの実施形態では、ドライバ基板が、指向性照明器具の中心軸に対して鉛直角に位置付けられる。或いは、別の実施形態では、ドライバ基板が、指向性照明器具の中心軸と実質的に平行である。１つの実施形態では、第１のハウジングが熱伝導性金属で構成される。
【０００７】
別の実施形態では、指向性照明器具の第１のハウジング、第２のハウジング及びドライバ基板を互いに組み立てる方法を開示する。この方法は、ドライバ基板を第２のハウジングに取り付けるステップを含む。この方法は、ドライバ基板を第２のハウジング内の適所に保持するステップをさらに含む。最後に、この方法は、ドライバ基板が第２のハウジング内の適所に保持された後に、第２のハウジングに第１のハウジングを取り付けるステップを含む。１つの実施形態では、第１のハウジングが切欠部を含み、第２のハウジングが突出部を含む。第１のハウジングは、第２のハウジングの突出部を第１のハウジングの切欠部に受け入れることによって第２のハウジングに取り付けられる。ある実施形態では、ドライバ基板が、ポッティング材又は機械的結合のいずれかによって第２のハウジング内に保持される。
【図面の簡単な説明】
【０００８】
【図１】ドライバ基板と、第１のハウジングと、第２のハウジングとを含む例示的な指向性照明器具の断面図である。
【図２】図１に示す照明器具の俯瞰図である。
【図３】図１に示す照明器具の斜視図である。
【図４】図１に示す照明器具の第２のハウジング及びドライバ基板を示す図である。
【図５】図１に示すハウジングの開口部の拡大図である。
【図６】図１に示す照明器具の部分的分解図である。
【図７】図１に示す照明器具のドライバ基板を示す図である。
【図８】図１に示す第１のハウジングと、第２のハウジングと、ドライバ基板とを互いに組み立てる方法を示す例示的な処理フロー図である。
【図９】ドライバ基板を支持体に取り付けた指向性照明器具の別の実施形態の斜視図である。
【図１０】図９に示す指向性照明器具の拡大斜視図である。
【図１１】ドライバ基板及び支持体を取り付ける前の図９に示す指向性照明器具の組立図である。
【図１２】図９に示す指向性照明器具の、互いに組み立てる前の第１のハウジング及び第２のハウジングを示す図である。
【発明を実施するための形態】
【０００９】
以下の詳細な説明には本発明の一般原理を示し、その例を添付図面にさらに示す。図面では、同じ要素又は機能的に同様の要素を同じ参照番号によって示す。
【００１０】
図１は、例示的な指向性照明器具１０の断面図である。照明器具１０は、第１のハウジング２０と、スリーブ又は第２のハウジング２２と、ドライバ基板２６と、照明素子２８と、光学素子３２と、照明カバー３４と、ソケットベース３６とを含む。図１に示すように、照明素子２８は、指向性照明器具１０内の中心に位置することができる。具体的には、照明素子２８は、指向性照明器具１０の中心に位置するように、指向性照明器具１０の中心軸Ａ−Ａと実質的に整列することができる。
【００１１】
図１には、照明素子２８を、基板３８に沿って位置付けられた単一の発光ダイオード（ＬＥＤ）として示している。しかしながら、当業者であれば、照明素子２８が複数のＬＥＤであってもよいと理解するであろう。さらに、ＬＥＤを示しているが、照明素子２８は、例えば白熱ランプのフィラメントなどの、可視光を生成するいずれのタイプのデバイスであってもよいと理解されたい。具体的には、指向性照明器具１０は、以下に限定されるわけではないが、ＬＥＤランプ、白熱ランプ、電球型蛍光ランプ（ＣＦＬ）又はガス放電ランプなどの、特定の方向に可視光を放出するあらゆるタイプの指向性ランプとすることができる。また、当業者であれば、指向性照明器具１０を放物状アルミ製リフレクタ（ＰＡＲ）タイプの照明装置として示しているが、本開示をＰＡＲタイプのランプに限定すべきでないことも理解するであろう。実際には、特定の方向に可視光を伝達するように構成されたあらゆるタイプの指向性ランプを使用することができる。
【００１２】
光学素子３２は、指向性照明器具１０の中心軸Ａ−Ａに沿って照明素子２８の真正面に位置することができる。光学素子３２は、照明素子２８によって生成された光を特定のパターン又は方向に向けるあらゆるタイプのデバイスとすることができる。当業者であれば、一般に全ての指向性ランプが光学素子を用いて光を特定の方向に向けると容易に理解するであろう。１つの例示的な実施形態では、光学素子３２を、実質的に透明又は半透明の材料で構成されたコリメータとすることができる。例えば、光学素子３２は、例えばポリカーボネートなどのプラスチック材料、又はガラスで構成することができる。図示の実施形態では、光学素子３２が、照明素子２８によって生成された可視光を誘導する概ね放物状の構造を含むが、本開示は、放物状の構造に限定されるものではないと理解されたい。
【００１３】
１つの非限定的な実施形態では、第１のハウジング２０を、例えばアルミニウム又は金属合金などの熱伝導性金属で構成することができる。或いは、別の実施形態では、第１のハウジング２０を熱伝導性プラスチックで構成することができる。市販の熱伝導性プラスチックの一例は、ＴＨＥＲＭＡ−ＴＥＣＨという商標名で販売されており、オハイオ州エイヴォンレークのＰｏｌｙＯｎｅ社から入手可能である。図１及び図２の両方を参照すると、第１のハウジング２０は、放熱のための複数のフィン４２と、ＬＥＤ２８の基板３８を支持するための桟部又は棚部４４とを含むことができる。１つの例示的な実施形態では、フィン４２及び棚部４４が、いずれも第１のハウジング２０のキャビティ４０内に位置する。第１のハウジング２０のキャビティ４０は、ドライバ基板２６、照明素子２８及び光学素子３２などの、指向性照明器具１０の内部コンポーネントを収容することができる。
【００１４】
第２のハウジング２２は、限定ではないがプラスチックなどの、無線周波数（ＲＦ）信号を通すあらゆるタイプの非金属材料で構成することができる。例えば、１つの実施形態では、第２のハウジング２２をアクリロニトリルブタジエンスチレン（ＡＢＳ）で構成することができる。特に、図１に示すように、指向性照明器具１０を組み立てると、ドライバ基板２６の裏面４６の一部は、第２のハウジング２２の内面４８と概ね対向する。
【００１５】
図１及び図３を参照すると、第１のハウジング２０及び第２のハウジング２２は、いずれも互いの間に鍵型接続部５０を含む。以下でさらに詳細に説明する鍵型接続部５０は、一般に第１のハウジング２０と第２のハウジング２２との間の相対的回転を防ぐ。従って、指向性照明器具１０を組み立てると、ドライバ基板２６の裏面４６が、常に第２のハウジング２２の内面４８に対向することができる。この配向により、ドライバ基板２６の前面５８に沿って配置された（図４に示す）アンテナ素子５６にＲＦ信号が容易に到達できるようになる。具体的には、図１を参照すると、通常、ＲＦ信号は、照明カバー３４を通過して（図４に示す）アンテナ素子５６に到達する。今日では、ほとんどのタイプの指向性照明器具において、このＲＦ信号伝達手法が一般的に使用されている。しかしながら、第２のハウジング２２は、ＲＦ信号を通す材料で構成されているので、ＲＦ信号がアンテナ素子５６に到達するための第２の経路が形成される。この結果、いくつかの実施形態では、ＲＦ信号がアンテナ素子に到達する第２の経路を含まない指向性照明器具と比べると、ドライバ基板２６を照明カバー３４からさらに離して位置付けることができる。換言すれば、ＲＦ信号がアンテナ素子に到達する第２の経路を含まない現在利用可能ないくつかのタイプのランプは、照明カバーに向かって上向きに突出するドライバ基板を含む。対照的に、開示するアンテナ素子５６は、必ずしも照明カバー３４を通じてＲＦ通信を受け取る必要がない。従って、開示するドライバ基板２６は、従来のランプのように照明カバー３４に向かって上向きに突出する必要がない。
【００１６】
図４を参照すると、１つの実施形態では、ドライバ基板２６をプリント基板（ＰＣＢ）とし、アンテナ素子５６を配線アンテナとすることができる。しかしながら、当業者であれば、本開示を配線アンテナ及びＰＣＢに限定すべきではないと理解するであろう。１つの実施形態では、アンテナ素子５６を、例えばＩＥＥＥ８０２．１５標準に準拠するＢｌｕｅｔｏｏｔｈ（登録商標）信号などの短距離ＲＦ信号を受け取るように構成することができる。さらに、１つのみのアンテナ素子５６について説明しているが、当業者であれば、可変周波数のＲＦ信号を受け取るために、ドライバ基板２６上に複数のアンテナ素子を含めることもできると容易に理解するであろう。或いは、別の実施形態では、アンテナ素子５６を、異なるＲＦ周波数帯で動作するマルチバンドアンテナとすることもできる。
【００１７】
図４は、ドライバ基板２６を第２のハウジング２２に取り付けた、第２のハウジング２２及びドライバ基板２６を示す図である。図５は、第２のハウジング２２の開口部６０の一部の拡大図である。図５に示すように、第２のハウジング２２は、その開口部６０の両側面６４に沿って配置された２つの傾斜スロット６２を含む。図４及び図５の両方を参照すると、１つの実施形態では、２つの傾斜スロット６２に沿って第２のハウジング２２の開口部６０にドライバ基板２６を滑り込ませることにより、第２のハウジング２２にドライバ基板２６を取り付けることができる。具体的には、操作者は、ドライバ基板２６の（図１に示す）底端部６４が第２のハウジング２２内に位置するリブ６６に当接するまで、ドライバ基板２６を第２のハウジング２２の開口部６０に滑り込ませることができる。第２のハウジング２２にソケットベース３６を取り付けた後に、（図１に示す）第２のハウジング２２のキャビティ７０内にポッティング材（図示せず）を配置することができる。このポッティングは、ドライバ基板２６を第２のハウジング２２内の適所に保持するために使用することができる。別の実施形態では、ポッティング材を省略し、代わりに機械的結合によってドライバ基板２６を適所に保持することができる。例えば、１つの実施形態では、以下に限定されるわけではないが、ねじ、クリップ又はロック機構などの締結具を用いて、ドライバ基板を第１のハウジング２０に取り付けることができる。
【００１８】
図６に、第１のハウジング２０に取り付ける前の互いに組み立てた第２のハウジング２２及びドライバ基板２６を示す。図６に示すように、第２のハウジング２２は、指向性照明器具１０の中心軸Ａ−Ａから半径方向にオフセットされた突出部７２を含む。図示の非限定的な実施形態では、突出部７２が、ドライバ基板２６の幅Ｗに概ね対応するように成形される。しかしながら、図６に示すように、ドライバ基板２６は、突出部７２の最上縁部７３を過ぎて垂直方向上向きに突出し、又は延びることができる。
【００１９】
１つの実施形態では、ドライバ基板２６を、指向性照明器具１０の中心軸Ａ−Ａに対して（図１に示す）鉛直角Ａで第２のハウジング２２内に位置付けることができる。図１に示す非限定的な実施形態では、鉛直角Ａを約３０度とすることができるが、当業者であれば、他の角度を使用することもできると理解するであろう。具体的には、ドライバ基板２６は、指向性照明器具１０の実装制限を妨げない限り、考えられるあらゆる配向で傾斜することができる。さらに、図には鉛直角Ａで位置付けられたドライバ基板２６を示しているが、別の手法では、ドライバ基板２６を指向性照明器具１０の中心軸Ａ−Ａと実質的に平行に位置付けることもできると理解されたい。
【００２０】
再び図６を参照すると、第１のハウジング２０は、開口部又は切欠部７４を定めることができる。切欠部７４は、第１のハウジング２０の外壁７６によって定められる。切欠部７４は、第２のハウジング２２の突出部７２に概ね対応するように成形される。指向性照明器具１０の組み立て中には、最初に第２のハウジング２２とドライバ基板２６とを互いに組み立てる。次に、突出部７２が第１のハウジング２０の切欠部７４に受け入れられるようにして、第２のハウジング２２上に第１のハウジング２０を配置する。このようにして、第２のハウジング２２の突出部７２と第１のハウジング２０の切欠部７４とによって（図４に示す）鍵型接続部５０を定めることができる。当業者であれば、第２のハウジング２２の突出部７２及び第１のハウジング２０の切欠部７４はいずれも概ね矩形の輪郭を含むが、これらの要素は、第１のハウジング２０の切欠部７４が第２のハウジング２２の突出部７２に概ね対応して実質的な間隙又は穴を伴わずに突出部７２を受け入れるように成形される限り、利用可能なあらゆるタイプの輪郭を含むことができると容易に理解するであろう。
【００２１】
図７に、ドライバ基板２６を示す。ドライバ基板２６は、様々な電力エレクトロニクス８４及びＲＦエレクトロニクス８６を含むことができる。１つの実施形態では、ドライバ基板２６をＰＣＢとすることができる。アンテナ素子５６は、ドライバ基板２６の上端部８８に沿って位置することができる。図２に示すように、ドライバ基板２６は、有線接続９０を介して照明素子２８に電気的に接続されて電力を供給する。具体的には、ドライバ基板２６の配線９２を照明素子２８にはんだ付けすることができる。配線９２は、照明素子２８を照明するのに必要な電力を供給する。
【００２２】
図１及び図７の両方を参照すると、指向性照明器具１０にドライバ基板２６を取り付ける際には、ドライバ基板２６の上端部８８に沿って配置されたアンテナ素子５６を、照明素子２８と少なくとも垂直方向の同じ高さに又は面一に位置付けることができる。具体的には、ドライバ基板２６の高さは、上端部８８及びアンテナ素子５６が照明素子２８と少なくとも同じ高さに又は面一に位置して第１のハウジング２０内に引っ込まないように、少なくとも最低の高さとすべきである。しかしながら、ドライバ基板２６の高さは、照明カバー３４に干渉するほど高くしてもいけない。従って、アンテナ素子５６は、第１のハウジング２０がＲＦ信号を事実上阻止する材料（例えば、アルミニウム）で構成されている場合であっても、依然として照明カバー３４に向かって外向きに配向されるように指向性照明器具１０内に位置付けられる。従って、アンテナ素子５６は、第１のハウジング２０に内包されなくてもよく、第１のハウジング２０内に内包又は埋設されたアンテナに比べて、より効果的にＲＦ信号を受け取ることができる。
【００２３】
引き続き図１及び図７を参照すると、ドライバ基板２６は、第１のハウジング２０内で、ドライバ基板２６のアンテナ素子５６及び上端部８８が光学素子３２に干渉又は接触しないように配向すべきである。具体的には、ドライバ基板２６は、光学素子３２によって反射された可視光を実質的に妨害したり、又は可視光に干渉したりしないように、指向性照明器具１０の中心軸Ａ−Ａからオフセットすべきである。
【００２４】
図８は、第１のハウジング２０と、第２のハウジング２２と、ドライバ基板２６とを共に組み立てる例示的な方法を示す処理フロー図である。図示の処理は、第２のハウジング２２とドライバ基板２６とを互いに組み立てるための、より容易でより人間工学的な手法を提供することができる。図１〜図８を大まかに参照すると、この方法は、第２のハウジング２２にドライバ基板２６を取り付けるブロック１０２から開始する。具体的には、（図５に示す）２つの傾斜スロット６２に沿ってドライバ基板２６を第２のハウジング２２の開口部６０に滑り込ませる。操作者は、ドライバ基板２６の（図１に示す）底端部６４が第２のハウジング２２内に位置するリブ６６に当接するまで、ドライバ基板２６を第２のハウジング２２の開口部６０に滑り込ませることができる。次に、この方法はブロック１０４に進むことができる。
【００２５】
ブロック１０４において、ドライバ基板２６をソケットベース３６にはんだ付けすることができる。具体的には、ドライバ基板２６が、ソケットベース３６にはんだ付けされる配線（図示せず）を含む。この配線は、ドライバ基板２６をソケットベース３６に電気的に接続するために使用される。次に、ソケットベース３６を第２のハウジング２２に機械的に結合することができる。（ブロック１０８において後述する）第１のハウジング２０の取り付け前にドライバ基板２６をソケットベース３６にはんだ付けすると、ドライバ基板２６を第２のハウジング２２に取り付ける手法が、より容易でより人間工学的なものになると理解されたい。この理由は、第１のハウジング２０を取り付けずに第２のハウジング２２を操作する方が操作者にとって比較的容易なためである。次に、方法はブロック１０６に進むことができる。
【００２６】
ブロック１０６において、ポッティング材又は機械的結合によってドライバ基板２６を第２のハウジング２２内の適所に保持することができる。次に、方法はブロック１０８に進むことができる。
【００２７】
ブロック１０８において、第１のハウジング２０を第２のハウジング２２に取り付けることができる。具体的には、第１のハウジング２０の突出部７２は第１のハウジング２０の切欠部７４に受け入れられる。次に、方法はブロック１１０に進むことができる。
【００２８】
ブロック１１０において、有線接続９０を介してドライバ基板２６を照明素子２８に電気的に接続する。具体的には、ドライバ基板２６の配線９２を照明素子２８にはんだ付けすることができる。その後、方法は終了することができる。
【００２９】
図９〜図１０に、指向性照明器具１００の別の実施形態を示す。上述した図１〜図７に示す実施形態と同様に、照明器具１００は、第１のハウジング１２０と、スリーブ又は第２のハウジング１２２と、ドライバ基板１２６と、照明素子１２８と、光学素子（図示せず）と、照明カバー（図示せず）と、ソケットベース１３６とを含むことができる。しかしながら、上述した図１〜図７に示す実施形態とは異なり、ドライバ基板１２６をクーポン又は支持体２００に取り付けることができる。支持体２００は、ＲＦ信号を通すとともにドライバ基板１２６を第１のハウジング１２０内に位置付けるための機械的支持を行えるほど十分に硬質なあらゆるタイプの非金属材料で構成することができる。例えば、１つの実施形態では、支持体２００をポリプロピレン（ＰＰ）又はポリウレタンなどのプラスチック材料で構成することができる。
【００３０】
図１１に、第１のハウジング１２０を第２のハウジング１２２に取り付け、未だ支持体２００を第１のハウジング１２０に取り付けていない状態を示す。図１〜図２に示す実施形態と同様に、第１のハウジング１２０は、放熱のための複数のフィン１４２と、ＬＥＤ１２８が取り付けられた基板１３４（図９）を支持するために桟部又はシールド１４４とを含むことができる。第１のハウジング１２０は、互いに実質的に平行になるように配置された２つの取り付けリブ２１０、２１２と、締結具取り付け機構２１４とをさらに含むことができる。２つの取り付けリブ２１０、２１２の各々は、上縁部２２０、２２２に沿って配置された隆起突出部２１４、２１６を含むことができる。
【００３１】
図９〜図１１を参照すると、支持体２００は、その両側面２３４、２３６に位置する２つの肩部２３０、２３２を有することができる。図９〜図１０で最も良く分かるように、各肩部２３０、２３２は、支持体２００を第１のハウジング１２０に取り付ける際に、２つの取り付けリブ２１０、２１２の一方を受け入れてこれに支持される。突出部２１４、２１６は、第１のハウジング１２０内の適所で支持体２０を正しい方向に置くストッパーとしての役割を果たす。第１のハウジング１２０の締結具取り付け機構２１４（図１１）は、例えばねじなどの締結装置２４４のシャンク（図示せず）を受け入れる開口部２４２を含むことができる。支持体２００は、やはり締結装置２４４のシャンクを受け入れる開口部２４６を定める突出部２４３も含む。図１０に示すように、締結装置２４４の頭部２５２と支持体２００の突出部２４２との間には、ワッシャ２５０を配置することができる。
【００３２】
締結装置２４４は、支持体２００を第１のハウジング１２０に確実に取り付けるために使用することができる。また、締結装置２４４は、支持体２００をある鉛直角で配向する（図には示されていない）。具体的には、締結装置２４４を用いて、支持体２００及びドライバ基板１２６を図１に示す鉛直角Ａと同様の鉛直角で配向することができる。当業者であれば、図１０には締結装置２１４をねじとして示しているが、例えばロック機構、スナップ嵌め又は別の機構などのあらゆるタイプの装置を用いて支持体２００を第１のハウジング１２０に取り付けることができると容易に理解するであろう。
【００３３】
図１２は、第１のハウジング１２０及び第２のハウジング１２２の分解図である。第１のハウジング１２０は、第２のハウジング１２２の上側部分２６２を受け入れる開口部２６０を含む。具体的には、第１のハウジング１２０の開口部２６０は、第２のハウジング１２２の桟部２６６上に載る表面２６４を定める。第２のハウジング１２２は、垂直に配向されたスロット２７０も含む。スロット２７０は、第１のハウジング１２０の嵌合部分２７２を受け入れるように成形される。スロット２７０は、第１のハウジング１２０の嵌合部分２７２に滑り係合することができる。第１のハウジング１２０と第２のハウジング１２２とを互いに組み立てると、第１のハウジング１２０は、一般に第２のハウジング１２２に対して回転することができなくなる。図９〜図１２に示す実施形態では、最初に第１のハウジング１２０と第２のハウジング１２２とを互いに組み立てる。その後、上述したように第１のハウジング１２０に支持体２００（図９〜図１１）を取り付けることができる。図１〜図７に示す実施形態と同様に、ドライバ基板１２６は、ソケットベース１３６（図９）にはんだ付けされた配線（図示せず）を含むことができる。
【００３４】
図を大まかに参照すると、開示した指向性照明器具１０、１００は、現在利用可能な幾つかのタイプの指向性ランプに比べてＲＦの受信性が向上する。その理由は、開示したアンテナ素子が、第１のハウジングから離れて照明カバーに向かって位置付けられるからである。従って、開示したアンテナは、第１のハウジングに内包又は埋設されたアンテナに比べて、より効果的にＲＦ信号を受け取ることができる。図１〜図７に示す開示した指向性照明器具１０は、ＲＦ能力の向上に加えて、特に現在利用可能な他のいくつかのタイプの照明器具と比べた時に、比較的組み立てが容易かつ単純である。
【００３５】
本明細書で説明した装置及び方法の形態は、本発明の好ましい実施形態を構成するものであるが、本発明は、これらの装置及び方法の正確な形態に限定されるものではなく、本発明の範囲から逸脱することなく変更を行うことができると理解されたい。
【符号の説明】
【００３６】
１０  指向性照明器具
２０  第１のハウジング
２２  第２のハウジング
２６  ドライバ基板
２８  照明素子
３２  光学素子
３４  照明カバー
３６  ソケットベース
３８  基板
４０  第１のハウジングのキャビティ
４４  桟部
４６  ドライバ基板の裏面
４８  第２のハウジングの内面
５８  ドライバ基板の前面
６４  ドライバ基板の底端部
７０  第２のハウジングのキャビティ
８８  ドライバ基板の上端部
Ａ−Ａ  指向性照明器具の中心軸
【図１】
2017521818.tif 000003
【図２】
2017521818.tif 000004
【図３】
2017521818.tif 000005
【図４】
2017521818.tif 000006
【図５】
2017521818.tif 000007
【図６】
2017521818.tif 000008
【図７】
2017521818.tif 000009
【図８】
2017521818.tif 000010
【図９】
2017521818.tif 000011
【図１０】
2017521818.tif 000012
【図１１】
2017521818.tif 000013
【図１２】
2017521818.tif 000014
【国際調査報告】
2017521818.tif 000015